(57)【要約】【課題】使用者に供給された高濃度酸素の一部が無駄になるのを防止することを可能にする。【解決手段】吸気と呼気とが繰り返される呼吸サイクルにおいて、吸気時間の開始を検知すると、酸素供給装置で常時供給する高濃度酸素と、酸素タンクに貯留された高濃度酸素とを酸素マスクに供給し、使用者の吸気量に対して高濃度酸素が足りなくなると空気を供給する（酸素供給状態）。吸気開始から有効吸気時間が終了するのと同時に高濃度酸素の供給を停止し、吸気時間の残りの時間及び呼気時間に、酸素供給手段から常時供給可能な高濃度酸素を酸素タンクに貯留する（酸素貯留状態）。そして、次の吸気において、前回の呼吸で酸素タンクに貯留した高濃度酸素と、酸素供給手段から常時供給される高濃度酸素とを使用者に供給する。【選択図】図３
2015080699.tif 000002
【特許請求の範囲】
【請求項１】
高濃度酸素を供給する酸素供給手段を有する酸素供給装置と、
前記酸素供給装置の内部及び外部の少なくとも一方に配置されているとともに前記酸素供給手段から供給された高濃度酸素を貯留可能なタンクと、
前記酸素供給装置からの高濃度酸素が酸素供給路を介して供給されると共に、その高濃度酸素の供給量では１回の吸気量に対して足りない分の空気が供給される酸素マスクと、
前記酸素供給路を、前記酸素マスクに高濃度酸素を供給する酸素供給状態及び前記タンクに高濃度酸素を貯留する酸素貯留状態のいずれかに切り換える制御弁と、
使用者の呼吸を検知する呼吸検知手段とを備え、
前記制御弁が、
吸気が開始されるとき又はその前に前記酸素供給路を酸素供給状態に切り換え、吸気開始から１回の吸気で肺まで取り込まれる気体を口から取り込み終わるまでの有効吸気時間終了と同時又は有効吸気時間が経過する前に前記酸素供給路を酸素供給状態から酸素貯留状態に切り換えると共に、次の吸気が開始されるとき又はその前まで前記酸素供給路を酸素貯留状態にするように制御されることを特徴とする高濃度酸素吸入システム。
【請求項２】
前記タンクは、前記酸素供給装置の外側に配置されたバッファタンクを有していることを特徴とする請求項１に記載の高濃度酸素吸入システム。
【請求項３】
前記制御弁と前記酸素マスクとの間又は前記酸素マスクに配置された逆止弁をさらに備えていることを特徴とする請求項１又は２に記載の高濃度酸素吸入システム。
【請求項４】
空気供給路を介して前記酸素マスクに空気を供給する送風手段をさらに備えていることを特徴とする請求項１〜３のいずれか１項に記載の高濃度酸素吸入システム。
【発明の詳細な説明】
【技術分野】
【０００１】
本発明は、高濃度の酸素を供給可能な高濃度酸素吸入システムに関する。
【背景技術】
【０００２】
高濃度酸素吸入システムとして、酸素供給装置を用いて使用者に高濃度酸素を供給するシステムが知られている。従来は吸気時間及び呼気時間に使用者に高濃度酸素を供給していたが、呼気時間に供給された高濃度酸素は肺に取り込まれず、無駄になっている。そこで、吸気時間にだけ高濃度酸素を供給し、呼気時間には高濃度酸素の供給を停止するシステムが知られている（例えば、特許文献１）。特許文献１のシステムでは、高濃度酸素の供給源として酸素ボンベを用いている。
【先行技術文献】
【特許文献】
【０００３】
【特許文献１】特開２００１−１２９０８６号公報
【発明の概要】
【発明が解決しようとする課題】
【０００４】
ところで、使用者に供給された高濃度酸素は気道を介して肺に取り込まれるが、吸気時間が終了したときに気道内に存在する高濃度酸素は、肺に取り込まれることなく、呼気として吐き出される。そうすると、上述したシステムでも、吸気終了時に高濃度酸素が気道に存在するため、高濃度酸素の一部、つまり、吸気時間が終了したときに気道内に存在する高濃度酸素が無駄になっている。なお、特許文献１では高濃度酸素の供給源として酸素ボンベを用いているが、高濃度酸素の供給源として高濃度酸素を生成する酸素供給装置を用いた場合も同様な問題が起こる。
【０００５】
また、使用者の状態に応じて高濃度酸素の供給量を増加させたり、減少させたりすることが好ましいが、高濃度酸素を生成する酸素供給装置を用いたシステムにおいて、高濃度酸素の供給量を増加させるには、単位時間当たりの高濃度酸素の生成量を増加させる必要がある。しかし、高濃度酸素の生成量を増加するためには酸素供給装置を大型化するしかなく、装置の大型化に伴って高濃度酸素吸入システムも大型化する。
【０００６】
そこで、本発明の目的は、使用者に供給された高濃度酸素の一部が無駄になるのを防止するとともに、システムを大型化することなく高濃度酸素の供給量を増加させることができる高濃度酸素吸入システムを提供することである。
【課題を解決するための手段】
【０００７】
第１の発明に係る高濃度酸素吸入システムは、高濃度酸素を供給する酸素供給手段を有する酸素供給装置と、前記酸素供給装置の内部及び外部の少なくとも一方に配置されているとともに前記酸素供給手段から供給された高濃度酸素を貯留可能なタンクと、前記酸素供給装置からの高濃度酸素が酸素供給路を介して供給されると共に、その高濃度酸素の供給量では１回の吸気量に対して足りない分の空気が供給される酸素マスクと、前記酸素供給路を、前記酸素マスクに高濃度酸素を供給する酸素供給状態及び前記タンクに高濃度酸素を貯留する酸素貯留状態のいずれかに切り換える制御弁と、使用者の呼吸を検知する呼吸検知手段とを備え、前記制御弁が、吸気が開始されるとき又はその前に前記酸素供給路を酸素供給状態に切り換え、吸気開始から１回の吸気で肺まで取り込まれる気体を口から取り込み終わるまでの有効吸気時間終了と同時又は有効吸気時間が経過する前に前記酸素供給路を酸素供給状態から酸素貯留状態に切り換えると共に、次の吸気が開始されるとき又はその前まで前記酸素供給路を酸素貯留状態にするように制御される。
【０００８】
ここで、「高濃度酸素」とは、酸素供給手段から供給される気体であり、酸素濃度が大気中の酸素濃度（２１％）よりも高い気体である。また、「有効吸気時間」とは、１回の吸気で肺まで取り込まれる気体を口から取り込み終わるまでの時間、言い換えると、吸気時間の開始からこれ以上酸素を吸気し体内に取り込んでも肺内で血液中に取り込まれない酸素を口から吸い始めるまでの時間である。
【０００９】
この高濃度酸素吸入システムでは、吸気開始後、有効吸気時間終了と同時又は有効吸気時間が終了する前に、言い換えると、１回の吸気で肺まで取り込まれる気体を口から取り込み終わった時又は取り込み終わる前に、高濃度酸素の供給を停止する。これにより、高濃度酸素の供給停止時に、使用者に供給された高濃度酸素は全て肺に取り込まれている、又は、気道に存在してもその後に続く吸気により肺に取り込まれることから、使用者に供給された高濃度酸素は、吸気が終了したときに、肺にだけ存在し、気道に残らないようにすることができる。よって、使用者に供給された高濃度酸素が肺に取り込まれることなく呼気として吐出されるのを抑止できるため、高濃度酸素が無駄になるのを防止することができる。
また、高濃度酸素の供給を停止した後、吸気時間の残りの時間及び呼気時間に、酸素供給手段で常時供給する高濃度酸素をタンクに貯留し、次の吸気に、酸素供給手段で常時供給する高濃度酸素だけでなくタンクに貯留された高濃度酸素も使用者に供給できるため、酸素供給手段で常時高濃度酸素を供給するだけの場合よりも、多くの高濃度酸素を肺に取り込むことができる。
このように、本発明では、使用者に供給された高濃度酸素の一部が無駄になるのを防止できるとともに、システムを大型化することなく高濃度酸素の供給量を増加させることができる。また、酸素供給手段による高濃度酸素の供給量（単位時間当たりの供給量）が少ない場合でも、システムを大型化することなく高濃度酸素の供給量を増加させることができる。
【００１０】
第２の発明に係る高濃度酸素吸入システムは、第１の発明において、前記タンクは、前記酸素供給装置の外側に配置されたバッファタンクを有している。
【００１１】
酸素供給装置内にタンクが配置されている場合、タンクの状況（タンク内の圧力変化等）によって酸素供給装置の運転状況が変化しやすい。特に、酸素貯留状態において、酸素供給装置内のタンクに高濃度酸素を貯留すると、タンク内の圧力が大きく変化するため、酸素供給装置の運転状況が非常に変化しやすい。しかし、第２の発明では、酸素供給装置の外側に配置されたバッファタンクに高濃度酸素を貯留することができるため、酸素供給装置内に酸素タンクが存在する場合、酸素貯留状態において酸素タンクの貯留量を少なくすることができる又は酸素タンクに貯留しなくてもよいため、酸素タンク内の圧力変化を小さくできる。したがって、酸素供給装置の運転状況が変化しにくいため、酸素供給装置を効率の良い条件で継続して運転することができる。よって、使用者に高濃度酸素を安定して供給しつつ、高濃度酸素吸入システムを円滑に運転することができる。
【００１２】
第３の発明に係る高濃度酸素吸入システムは、第１又は第２の発明において、前記制御弁と前記酸素マスクとの間又は前記酸素マスクに配置された逆止弁をさらに備えている。
【００１３】
この高濃度酸素吸入システムでは、酸素マスク内の高濃度酸素及び空気が逆止弁により酸素供給路へ逆流することを防止できる。
【００１４】
第４の発明に係る高濃度酸素吸入システムは、第１〜第３のいずれかの発明において、空気供給路を介して前記酸素マスクに空気を供給する送風手段をさらに備えている。
【００１５】
この高濃度酸素吸入システムでは、送風手段により酸素マスクに空気を送り込むことで、吸気時間に酸素マスク内が負圧になることを抑止できる。
【発明の効果】
【００１６】
以上の説明に述べたように、本発明によれば、以下の効果が得られる。
【００１７】
第１の発明では、吸気開始後、有効吸気時間終了と同時又は有効吸気時間が終了する前に高濃度酸素の供給を停止する。これにより、高濃度酸素の供給停止時に、使用者に供給された高濃度酸素は全て肺に取り込まれている、又は、気道に存在してもその後に続く吸気により肺に取り込まれることから、使用者に供給された高濃度酸素は、吸気が終了したときに、肺にだけ存在し、気道に残らないようにすることができる。よって、使用者に供給された高濃度酸素が肺に取り込まれることなく呼気として吐出されるのを抑止できるため、高濃度酸素が無駄になるのを防止することができる。
また、高濃度酸素の供給を停止した後、吸気時間の残りの時間及び呼気時間に、酸素供給手段で常時供給する高濃度酸素をタンクに貯留し、次の吸気に、酸素供給手段で常時供給する高濃度酸素だけでなくタンクに貯留された高濃度酸素も使用者に供給できるため、酸素供給手段で常時高濃度酸素を供給するだけの場合よりも、多くの高濃度酸素を肺に取り込むことができる。
このように、本発明では、使用者に供給された高濃度酸素の一部が無駄になるのを防止できるとともに、システムを大型化することなく高濃度酸素の供給量を増加させることができる。また、酸素供給手段による高濃度酸素の供給量（単位時間当たりの供給量）が少ない場合でも、システムを大型化することなく高濃度酸素の供給量を増加させることができる。
【００１８】
第２の発明では、酸素供給装置の外側に配置されたバッファタンクに高濃度酸素を貯留することができるため、酸素供給装置内に酸素タンクが存在する場合、酸素貯留状態において酸素タンクの貯留量を少なくすることができる又は酸素タンクに貯留しなくてもよいため、酸素タンク内の圧力変化を小さくできる。したがって、酸素供給装置の運転状況が変化しにくいため、酸素供給装置を効率の良い条件で継続して運転することができる。よって、使用者に高濃度酸素を安定して供給しつつ、高濃度酸素吸入システムを円滑に運転することができる。
【００１９】
第３の発明では、酸素マスク内の高濃度酸素及び空気が逆止弁により酸素供給路へ逆流することを防止できる。
【００２０】
第４の発明では、送風手段により酸素マスクに空気を送り込むことで、吸気時間に酸素マスク内が負圧になることを抑止できる。
【図面の簡単な説明】
【００２１】
【図１】本発明の第１実施形態に係る高濃度酸素吸入システムの模式図である。
【図２】図１の高濃度酸素吸入システムの動作を示すフローチャートである。
【図３】（ａ）は図１の高濃度酸素吸入システムを用いた場合の気道内圧（酸素マスク内圧）の変化を示す図であり、（ｂ）は使用者が吸い込む気体の構成を説明する図である。
【図４】（ａ）は、図１に示す酸素供給システムを利用した場合の使用者に供給される気体の取り込まれ先の構成を説明する図であり、（ｂ）は従来の高濃度酸素吸入システムを利用した場合の使用者に供給される気体の取り込まれ先の構成を説明する図である。
【図５】本発明の第２実施形態に係る高濃度酸素吸入システムの模式図である。
【図６】図５の高濃度酸素吸入システムの動作を示すフローチャートである。
【図７】（ａ）は図５の高濃度酸素吸入システムを用いた場合の気道内圧の変化を示す図であり、（ｂ）使用者が吸い込む気体の構成を説明する図である。
【図８】変形例の高濃度酸素吸入システムの動作を示すフローチャートである。
【図９】（ａ）は図８の高濃度酸素吸入システムを用いた場合の気道内圧（酸素マスク内圧）の変化を示す図であり、（ｂ）使用者が吸い込む気体の構成を説明する図である。
【発明を実施するための形態】
【００２２】
〔第１実施形態〕
以下、図１〜４を参照しつつ、本発明の第１実施形態について説明する。
【００２３】
（高濃度酸素吸入システムの全体構成）
図１に示すように、高濃度酸素吸入システム１００は、高濃度酸素吸入装置１と、酸素マスク２と、呼吸検知センサ（呼吸検知手段）３とを備えている。
【００２４】
[高濃度酸素吸入装置]
高濃度酸素吸入装置１は、高濃度酸素を供給する酸素供給装置１０と、酸素供給装置１０から供給される高濃度酸素が吐出される酸素吐出口１１と、酸素供給装置１０及び酸素吐出口１１を接続する酸素経路１２とを備えるとともに、空気を送る送風ファン（送風手段）１３と、送風ファン１３から送り込まれた空気を吐出する空気吐出口１４と、送風ファン１３及び空気吐出口１４を接続する空気経路１５とを備えている。酸素吐出口１１と酸素マスク２とは、酸素接続経路１６を介して接続されている。また、空気吐出口１４と酸素マスク２とは、空気接続経路１７を介して接続されている。
【００２５】
<酸素供給装置>
酸素供給装置１０は、外部から吸い込んだ空気を圧縮するコンプレッサ２１と、コンプレッサ２１から圧縮空気が供給され、その圧縮空気中の窒素を吸着する吸着剤が収納された第１吸着筒２２ａ及び第２吸着筒２２ｂと、第１吸着筒２２ａ及び第２吸着筒２２ｂから排出された高濃度酸素を貯留する酸素タンク（タンク）２３とを有している。酸素タンク２３は、酸素供給装置１０の内部に配置されている。本実施形態では、コンプレッサ２１と、第１吸着筒２２ａ及び第２吸着筒２２ｂとにより酸素供給手段１１０が構成され、酸素供給手段から酸素タンク２３に高濃度酸素が供給される。なお、酸素供給手段の構成要素は、コンプレッサ２１と、第１吸着筒２２ａ及び第２吸着筒２２ｂに限られず、後述する制御弁２４,２５が含まれていてもよい。
【００２６】
コンプレッサ２１と、第１吸着筒２２ａ及び第２吸着筒２２ｂとの間の流路には、第１吸着筒２２ａ及び第２吸着筒２２ｂのそれぞれに接続された制御弁２４が配設されている。制御弁２４は、コンプレッサ２１から吐出された圧縮空気を第１吸着筒２２ａに供給する加圧状態と、コンプレッサ２１から吐出された圧縮空気を第２吸着筒２２ｂに供給する加圧状態とを切り換える。
【００２７】
また、第１吸着筒２２ａ及び第２吸着筒２２ｂと、酸素タンク２３との間の流路には、第１吸着筒２２ａ及び第２吸着筒２２ｂのそれぞれに接続された制御弁２５が配設されている。制御弁２５は、第１吸着筒２２ａを通過した高濃度酸素を酸素タンク２３に供給する状態と、第２吸着筒２２ｂを通過した高濃度酸素を酸素タンク２３に供給する状態とを切り換える。
【００２８】
<酸素供給路>
酸素タンク２３に貯留された高酸素濃度を酸素マスク２に供給する酸素供給路３０は、酸素経路１２と、酸素接続経路１６とにより構成されている。酸素経路１２には、リリーフ弁３１と、酸素制御弁（制御弁）３２と、酸素制御弁３２を通過した酸素の圧力を調整するオリフィス３３とが、上流から順に配設されている。酸素制御弁３２は、酸素供給路３０を、酸素供給装置１０を用いて高濃度酸素を酸素マスク２に供給する酸素供給状態と、高濃度酸素を酸素マスク２に供給することなく、酸素タンク２３に貯留する酸素貯留状態とのいずれかに切り換える。酸素供給状態では、高濃度酸素吸入装置１から高濃度酸素が酸素マスク２に供給される。
【００２９】
<空気供給路>
送風ファン１３により送り込まれた空気を酸素マスク２に供給する空気供給路４０は、空気経路１５と、空気接続経路１７とにより構成されている。空気経路１５には、空気制御弁４１が配設されている。空気制御弁４１は、空気供給路４０を、送風ファン１３により送り込まれた空気を酸素マスク２に供給する空気供給状態と、空気制御弁４１を閉じることにより空気供給路４０を閉鎖する閉鎖状態と、空気接続経路１７を外部に接続された呼気経路４２に接続する呼気状態とのいずれかに切り換える。呼気状態では、酸素マスク２内の高濃度酸素及び空気が外部に排出され、酸素マスク２に空気が供給されない。
【００３０】
[酸素マスク]
酸素マスク２には、酸素接続経路１６が接続される酸素供給口５１と、空気接続経路１７が接続される空気供給口５２とが形成されている。酸素供給口５１には、逆止弁４が設けられている。逆止弁４により、酸素マスク２内の高濃度酸素や空気が酸素接続経路１６に逆流するのが防止される。これにより、酸素接続経路１６には、酸素供給状態のとき高濃度酸素が酸素制御弁（制御弁）３２から酸素マスク２に向かって流れる。また、酸素マスク２には、使用者の呼吸を検知する呼吸検知センサ３が取り付けられている。呼吸検知センサ３は、微圧センサであって、酸素マスク２内の圧力変化を検知することにより吸気時間が開始したことを検知し（図３（ａ）参照）、検知信号を酸素制御弁３２や空気制御弁４１に送る。本実施形態では、酸素マスク２内が負圧になったことを検知することにより、吸気時間が開始したことを検知する。
【００３１】
次に、図１，２を参照しつつ、高濃度酸素吸入システムの動作を説明する。
【００３２】
高濃度酸素吸入システム１００は、吸気と呼気とが順に繰り返される呼吸サイクルに応じて作動する。呼吸検知センサ３が吸気時間の開始を検知すると（Ｓ１）、酸素制御弁３２が酸素供給路３０を酸素供給状態に切り換えることにより、高濃度酸素の供給が開始され、これと同時に、空気制御弁４１が空気供給路４０を閉鎖状態に切り換える（Ｓ２）。その後、使用者の吸気量に対して高濃度酸素が足りなくなると、空気制御弁４１が空気供給路４０を空気供給状態に切り換えることにより、空気の供給が開始される（Ｓ３）。そして、吸気時間が開始してから有効吸気時間が経過した時に（Ｓ４）、酸素制御弁３２が酸素供給路３０を酸素貯留状態に切り換えることにより、高濃度酸素の供給を停止し（Ｓ５）、酸素タンク２３への高濃度酸素の貯留を開始する。そして、吸気時間開始後、所定時間が経過した時に（Ｓ６）、空気制御弁４１が空気供給路４０を呼気状態へ切り換えることにより空気の供給を停止し、酸素マスク２内の高濃度酸素及び空気を、空気接続経路１７及び呼気経路４２を介して外部へ排出する（Ｓ７）。その後、呼吸検知センサ３が次の吸気時間の開始を検知すると（Ｓ１）、再び、高濃度酸素の供給を開始するとともに、空気制御弁４１が空気供給路４０を閉鎖状態に切り換える（Ｓ２）。
【００３３】
ここで、「吸気時間」とは使用者に供給された高濃度酸素及び空気が肺及び気道に吸い込まれる時間であり、「呼気時間」とは肺及び気道に吸い込まれた高濃度酸素及び空気が吐き出される時間である。また、上記「吸気時間」のうちの「有効吸気時間」とは、吸気開始から１回の吸気で肺まで取り込まれる気体を口から取り込み終わるまでの時間、言い換えると、吸気開始からこれ以上酸素を吸気し体内に取り込んでも肺内で酸素が血液中に取り込まれなくなるまでの時間である。また、気道とは、鼻及び口から入った気体を肺内の血液中に酸素を取り込む部位まで導く道である。
【００３４】
次に、図３を参照しつつ、図２で示した高濃度酸素吸入システムの動作を詳細に説明する。表１には、呼吸サイクル及び高濃度酸素吸入システム１００の条件を例示している。また、図３には、１回の呼吸を示している。
【００３５】
【表１】
2015080699.tif 000003
【００３６】
ここで、表１の「有効吸気量」とは、１回の吸気で肺に取り込まれる気体の量、言い換えると、１回の吸気量のうち肺に入り血液に酸素を送り込むことに関与する気体量であり、肺の容量（肺に入り込むことが可能な最大容量）とは別に定義されるものであるが、本実施形態（特に図４等）では有効吸気量と肺の容量とが一致する場合（有効吸気量＝肺の容量＝３５０ｍＬ）を示している。
【００３７】
（有効吸気時間）
上述したように、「有効吸気時間」とは吸気開始から１回の吸気で肺まで取り込まれる気体（３５０ｍＬ）を口から取り込み終わるまでの時間、言い換えると、口から気体を有効吸気量（３５０ｍＬ）だけ取り込み終わるまでの時間であることから、表１に示す条件のとき、１回の呼吸における有効吸気時間は、
有効吸気時間＝吸気時間×（有効吸気量／１回の吸気量）
＝１秒×（３５０ｍＬ／５００ｍＬ）
＝０．７秒
である。
【００３８】
（吸気時間開始時に酸素タンクに貯留されている高濃度酸素量）
酸素貯留状態の間、酸素供給手段１１０が常時供給可能な高濃度酸素は、酸素タンク２３に貯留される。図３（ｂ）に示すように、酸素貯留状態は、有効吸気時間が経過した時から呼気時間が終了する時まで続く。したがって、１回の呼吸において、酸素貯留状態の間に酸素タンク２３に蓄えられる高濃度酸素量は、
高濃度酸素量
＝酸素供給手段１１０が常時供給可能な高濃度酸素量×（有効吸気時間が終了してから、呼気時間が終了するまでの時間）
＝酸素供給手段１１０が常時供給可能な高濃度酸素量×（呼吸時間−有効吸気時間）
＝８０ｍＬ／秒×（３秒−０．７秒）
＝８０ｍＬ／秒×（２．３秒）
＝１８４ｍＬ
である。したがって、呼気時間終了時に、１８４ｍＬの高濃度酸素が酸素タンク２３に貯留されている。呼気時間終了と同時に吸気時間が開始することから（呼気時間終了時＝吸気時間開始時）、図３（ａ）に示す吸気時間開始時（０秒，３秒）には、１８４ｍＬの高濃度酸素が酸素タンク２３に貯留されている。
【００３９】
よって、吸気時間のうち有効吸気時間内（０．７秒間）には、
(i)吸気時間開始時に酸素タンク２３に貯留されている高濃度酸素（１８４ｍＬ）と、
(ii)酸素供給手段１１０が常時供給可能な高濃度酸素（８０ｍＬ／秒）と
を酸素マスク２へ供給することができるので、合計１８４ｍＬ＋８０ｍＬ／秒×０．７秒＝２４０ｍＬを供給することができる。一方、表１から有効吸気量は３５０ｍＬであるが、０．７秒間に供給可能な高濃度酸素量は２４０ｍＬであるから、３５０ｍＬ−２４０ｍＬ＝１１０ｍＬの空気が別途供給される。なお、本実施形態では使用者が５００ｍＬ／秒で吸気するとして考えている。
【００４０】
ここで、表２及び図３（ｂ）を参照しつつ、吸気時間に供給される高濃度酸素量を説明する。表２には、吸気時間開始時を０秒とした場合の吸気量を示している。また、図３（ｂ）には、使用者が吸い込んだ高濃度酸素及び空気を模式的に示している。
【００４１】
【表２】
2015080699.tif 000004
【００４２】
１回の吸気量（吸気時間１秒）が５００ｍＬである場合、表２に示すように、０．１秒間の吸気量は５００ｍＬ×０．１秒＝５０ｍＬである。下記では、吸気時間に酸素マスク２に供給される気体（使用者が吸い込む気体）の一例を０．１秒間毎にわかりやすく模式的に説明する。なお、吸気開始時（０秒）における酸素タンク２３には、図３（ｂ）の酸素貯留状態で貯留された高濃度酸素１８４ｍＬが貯留されている。
【００４３】
<０秒〜０．１秒>
０秒〜０．１秒には、酸素タンク２３内の５０ｍＬの高濃度酸素が酸素供給装置１０から酸素マスク２に供給される。
吸気開始から０．１秒後、酸素タンク２３には１８４ｍＬ−５０ｍＬ＝１３４ｍＬの高濃度酸素と０秒〜０．１秒に酸素供給手段１１０から酸素タンク２３に供給された高濃度酸素（８ｍＬ／０．１秒）との合計１４２ｍＬの高濃度酸素が貯留されている。
【００４４】
<０．１秒〜０．２秒>
０.１秒〜０．２秒には、酸素タンク２３内の５０ｍＬの高濃度酸素が酸素供給装置１０から酸素マスク２に供給される。
吸気開始から０．２秒後、酸素タンク２３には、１４２ｍＬ−５０ｍＬ＝９２ｍＬの高濃度酸素と０.１秒〜０．２秒に酸素供給手段１１０から酸素タンク２３に供給された高濃度酸素（８ｍＬ／０．１秒）との合計１００ｍＬの高濃度酸素が貯留されている。
【００４５】
<０．２秒〜０．３秒>
０.２秒〜０．３秒には、酸素タンク２３内の５０ｍＬの高濃度酸素が酸素供給装置１０から酸素マスク２に供給される。
吸気開始から０．３秒後、酸素タンク２３には、１００ｍＬ−５０ｍＬ＝５０ｍＬの高濃度酸素と０.２秒〜０．３秒に酸素供給手段１１０から酸素タンク２３に供給された高濃度酸素（８ｍＬ／０．１秒）との合計５８ｍＬの高濃度酸素が貯留されている。
【００４６】
<０．３秒〜０．４秒>
０．３秒〜０．４秒には、酸素タンク２３内の５０ｍＬの高濃度酸素が酸素供給装置１０から酸素マスク２に供給される。
吸気開始から０．４秒後、酸素タンク２３には、５８ｍＬ−５０ｍＬ＝８ｍＬの高濃度酸素と０．３秒〜０．４秒に酸素供給手段１１０から酸素タンク２３に供給された高濃度酸素８ｍとの合計１６ｍＬの高濃度酸素が酸素タンク２３に貯留されている。
【００４７】
<０．４秒〜０．５秒>
０．４秒〜０．５秒には、酸素タンク２３内の２４ｍＬ（＝１６ｍＬ＋８ｍＬ）の高濃度酸素が酸素供給装置１０から酸素マスク２に供給される。２４ｍＬのうち１６ｍＬは０．４秒の時点で酸素タンク２３に貯留されていた高濃度酸素であり、８ｍＬは０．４秒〜０．５秒に酸素供給手段１１０から酸素タンク２３に供給された高濃度酸素（８０ｍＬ／秒）である。また、２４ｍＬの高濃度酸素では０．１秒間に吸気される気体５０ｍＬに足りないため、空気供給路４０を介して２６ｍＬの空気が酸素マスク２に供給される。
【００４８】
<０．５秒〜０．６秒>
０．５秒〜０．６秒には、酸素マスク２に、酸素供給装置１０から８ｍＬの高濃度酸素（８０ｍＬ／秒＝０．８ｍＬ／０．１秒）と、空気供給路４０を介して４８ｍＬの空気と、の合計５０ｍＬの気体が供給される。８ｍＬの高濃度酸素は、０．５秒〜０．６秒に酸素供給手段１１０から酸素タンク２３に供給された高濃度酸素（８０ｍＬ／秒）である。
【００４９】
<０．６秒〜０．７秒>
０．６秒〜０．７秒には、０．５秒〜０．６秒と同様に、酸素マスク２に、酸素供給装置１０から８ｍＬの高濃度酸素と、空気供給路４０を介して４８ｍＬの空気と、の合計５０ｍＬの気体が酸素マスク２に供給される。８ｍＬの高濃度酸素は、０．６秒〜０．７秒に酸素供給手段１１０から酸素タンク２３に供給された高濃度酸素（８０ｍＬ／秒）である。
【００５０】
<０．７秒〜０．８秒>
０．７秒〜０．８秒は、有効吸気時間終了後であるため、酸素マスク２に空気供給路４０を介して空気だけが供給され、高濃度酸素が供給されない。
【００５１】
<０．８秒〜０．９秒>
０．７秒〜０．８秒と同様に、酸素マスク２に空気だけが供給され、高濃度酸素が供給されない。
【００５２】
<０．９秒〜１．０秒>
０．７秒〜０．９秒と同様に、酸素マスク２に空気だけが供給され、高濃度酸素が供給されない。
【００５３】
続いて、図４を参照しつつ、吸気時間に使用者が吸い込む高濃度酸素量について説明する。図４（ａ）には、本発明の高濃度酸素吸入システム１００を利用した場合を示し、図４（ｂ）には、従来の高濃度酸素吸入システムを利用した場合を示している。従来の酸素吸入システムには、１)吸気時間及び呼気時間に使用者に高濃度酸素を供給するシステムと、２)吸気時間にだけ高濃度酸素を供給し、呼気時間に高濃度酸素を供給せず且つ呼気時間に高濃度酸素を貯留しないシステムがあるが、図４（ｂ）には２)のシステムを示している。なお、１)のシステムは、図１のシステムにおいて酸素制御弁３２を有さない構成となっている。
【００５４】
図４（ｂ）に示すように、従来の高濃度酸素吸入システムを利用した場合、吸気時間終了時に、気道に８０ｍＬ／秒×（１秒−０．７秒）＝２４ｍＬの高濃度酸素が存在する。この高濃度酸素は、肺に取り込まれることなく、呼気として吐き出されるため、無駄になる。一方、図４（ａ）に示すように、高濃度酸素吸入システム１００を利用した場合は、吸気時間終了時に気道に高濃度酸素が存在しないので、使用者に供給された高濃度酸素が無駄にならない。したがって、本発明の高濃度酸素吸入システム１００では、従来の高濃度酸素吸入システムに比べて、使用者に供給された高濃度酸素が無駄になるのを防止することができる。
【００５５】
また、従来の高濃度酸素吸入システムを利用した場合、酸素供給装置が常時供給する高濃度酸素（８０ｍＬ／秒）だけが使用者に供給されることから、図４（ｂ）に示すように、肺に吸い込まれる高濃度酸素量は８０ｍＬ／秒×０．７秒＝５６ｍＬだけである。一方、図４（ａ）に示すように、高濃度酸素吸入システム１００を利用した場合、(i)前の呼吸（呼気）で酸素タンク２３に貯留した高濃度酸素（１８４ｍＬ）と、(ii)酸素供給手段１１０が常時供給可能な高濃度酸素（８０ｍＬ／秒）とを供給できるので、吸気時間（特に、有効吸気時間）に１８４ｍＬ＋８０ｍＬ／秒×０．７秒＝２４０ｍＬの高濃度酸素を肺に供給することができる。したがって、本発明の高濃度酸素吸入システム１００では、システムを大型化することなく、従来の高濃度酸素吸入システムよりも多くの高濃度酸素を肺に取り込むことができる。
【００５６】
（本実施形態の高濃度酸素吸入システム１００の特徴）
本実施形態の高濃度酸素吸入システム１００では、吸気開始後、有効吸気時間が終了した時、言い換えると、吸気開始後、肺に取り込まれる気体が口から取り込み終わった時に高濃度酸素の供給を停止する。これにより、高濃度酸素の供給停止時に、使用者に供給された高濃度酸素は全て肺に取り込まれている、又は、気道に存在してもその後続く吸気により肺に取り込まれることから、使用者に供給された高濃度酸素は、吸気が終了したときに、肺にだけ存在し、気道に残らないようにすることができる。よって、使用者に供給された高濃度酸素が肺に取り込まれることなく呼気として吐出されるのを抑止できるため、使用者に供給された高濃度酸素が無駄になるのを防止することができる。また、有効吸気時間が経過した後、吸気時間の残りの時間及び呼気時間に、酸素供給装置１０が常時供給可能な高濃度酸素を酸素タンク２３に貯留し、次の吸気に、酸素供給手段で常時供給する高濃度酸素だけでなくタンクに貯留された高濃度酸素も使用者に供給できる。これにより、酸素供給手段１１０で常時高濃度酸素を供給するだけの場合よりも、多くの高濃度酸素を肺に取り込むことができる。
このように、本実施形態では、使用者に供給された高濃度酸素の一部が無駄になるのを防止できるとともに、高濃度酸素吸入システム１００を大型化することなく高濃度酸素の供給量を増加させることができる。また、酸素供給手段１１０による高濃度酸素の供給量（単位時間当たりの供給量）が少ない場合でも、高濃度酸素吸入システム１００を大型化することなく高濃度酸素の供給量を増加させることができる。
【００５７】
また、酸素マスク２の酸素供給口５１に逆止弁４が設けられているため、酸素マスク２内の高濃度酸素及び空気が逆止弁４により酸素接続経路１６へ逆流することを防止できる。
【００５８】
さらに、送風ファン１３により空気を酸素マスク２に送り込むことから、吸気時間において、使用者の吸込量に対して高濃度酸素の供給量が少なくなったときに、酸素マスク２内が負圧になることを抑止できる。
【００５９】
加えて、酸素マスク２（密閉型のもの）で酸素供給口と使用者の口及び鼻等を密閉できるので、カニューラ等を用いた開放型のもの（鼻腔、口腔付近で酸素が放出される構造のもの）よりも、酸素供給装置１０から供給される高濃度酸素を無駄なく吸引することが可能となる。
【００６０】
また、酸素供給装置１０からの高濃度酸素供給流量と送風ファン１３によって供給される空気量をコントロールすることで、吸気による抵抗を極力低減できるとともに、酸素マスク２を装着していても刺激や不快感を軽減させることができる。
【００６１】
さらに、本実施形態では、酸素接続経路１６だけでなく空気接続経路１７及び呼気経路４２が設けられているので、呼気のときに酸素マスク２内の高濃度酸素及び空気が外部に排出される。これにより、吸気前に酸素マスク２内で高濃度酸素と空気とがミクシングするのを防止できるので、吸気状態のときに酸素濃度の高い高濃度酸素を使用者に供給することができる。
【００６２】
〔第２実施形態〕
次に、図５〜７を参照しつつ、本発明の第２実施形態について説明する。第２実施形態の高濃度酸素吸入システム２００は、i)第１実施形態では酸素貯留状態において酸素供給装置１０の酸素タンク２３に高濃度酸素を貯留するのに対して、第２実施形態では、酸素貯留状態において、酸素供給装置１０の外部に配置された蛇腹構造を持った伸縮性のタンクであるバッファタンク２２３に高濃度酸素を貯留する点、ii)第１実施形態では送風ファン１３により酸素供給路３０を介して酸素マスク２に空気が供給されるのに対して、第２実施形態では使用者の自発呼吸で外部の空気を吸い込む点、及び、iii)第１実施形態では呼吸検知センサ３が酸素マスク２に取り付けられているのに対して、第２実施形態では呼吸検知センサ２０３が使用者の胸に取り付けられている点において、第１実施形態に係る高濃度酸素吸入システム１００と異なっている。なお、その他の構成は、上記第１実施形態と同様であるため、同じ符号を用いて適宜その説明を省略する。
【００６３】
[高濃度酸素吸入装置]
高濃度酸素吸入装置２０１は、酸素供給装置１０と、酸素吐出口１１と、酸素供給装置１０の外部に配置された蛇腹構造を持った伸縮性のあるバッファタンク（タンク）２２３とを備えている。バッファタンク２２３は、酸素供給装置１０の外部に配置されている。酸素供給装置１０とバッファタンク２２３とを接続する第１酸素経路２１２には、減圧弁２３１が配設されている。また、バッファタンク２２３と酸素吐出口１１とを接続する第２酸素経路２１３には、酸素制御弁３２が配設されている。そして、第１酸素経路２１２と、第２酸素経路２１３と、酸素接続経路１６とにより、酸素供給路２３０が構成されている。また、本実施形態では、コンプレッサ２１と、第１吸着筒２２ａ及び第２吸着筒２２ｂとにより酸素供給手段２１０が構成されている。
【００６４】
酸素供給路２３０が酸素貯留状態であるとき、酸素供給装置１０から供給された高濃度酸素はバッファタンク２２３に貯留される。このとき、酸素供給装置１０では酸素タンク２３にも高濃度酸素が貯留されるが、本実施形態では第１実施形態よりも酸素タンク２３における高濃度酸素の貯留量が少ない。したがって、本実施形態では第１実施形態よりも酸素タンク２３内の圧力変化が小さい。なお、本実施形態では、酸素貯留状態のとき酸素タンク２３に高濃度酸素を貯留したが、酸素タンク２３に高濃度酸素を貯留しなくてもよい。また、酸素供給装置１０が酸素タンク２３を有さない構成としてもよい。
【００６５】
バッファタンク２２３は、コンプレッサ２１に圧縮空気供給経路２４０によって接続され、コンプレッサ２１の排気空気によって収縮する。バッファタンク２２３が収縮することで、バッファタンク２２３に貯留された高濃度酸素が圧縮空気供給経路２４０に排出され、酸素マスク２０２に送られる。
【００６６】
圧縮空気供給経路２４０には圧縮空気制御弁２４１が配置されている。圧縮空気制御弁２４１は、圧縮空気供給経路２４０を、コンプレッサ２１から排出された圧縮空気をバッファタンク２２３に供給する供給状態と、その供給を停止する供給停止状態とに切り換え可能である。
【００６７】
[酸素マスク]
酸素マスク２０２には、酸素接続経路１６及び外部に接続された空気経路２１７が接続された制御弁２６０が設けられた供給口２５１が形成されている。制御弁２６０は、酸素供給路２３０を、i)バッファタンク２２３から酸素マスク２０２に高濃度酸素を供給する第１酸素供給状態と、ii)高濃度酸素を酸素マスク２０２に供給しつつ、酸素マスク２０２の内部と空気経路２１７とを接続する第２酸素供給状態と、iii)酸素マスク２０２の内部と空気経路２１７とを接続しつつ、高濃度酸素の供給を停止する空気接続状態とのいずれかに切り換える。第１酸素供給状態では、酸素マスク２０２の内部と空気経路２１７とが接続されないため、酸素マスク２０２に外部の空気が供給されない。
【００６８】
[呼吸検知センサ２０３]
呼吸検知センサ２０３は、使用者の胸等に装着され、肺の動き（膨張、収縮等）を検知することにより、吸気時間が開始したことを検知する吸気時間開始検知と、呼気時間が開始したことを検知する呼気時間開始検知とを行い、酸素制御弁３２、圧縮空気制御弁２４１や制御弁２６０に検知信号を送る。
【００６９】
次に、図６,７を参照しつつ、高濃度酸素吸入システム２００の動作を説明する。図７では、１回の呼吸を示している。
【００７０】
図６に示すように、呼吸検知センサ２０３が吸気時間の開始を検知すると（Ｓ１１）、酸素制御弁３２が酸素供給路２３０を酸素供給状態に切り換えることにより、高濃度酸素の供給が開始され、これと同時に、制御弁２６０が酸素供給路２３０及び空気経路２１７を第１酸素供給状態に切り換える（Ｓ１２）。その後、使用者の吸気量に対して高濃度酸素が足りなくなると、制御弁２６０が空気経路２１７を第２酸素供給状態に切り換えることにより、酸素マスク２０２と空気経路２１７とが接続される（Ｓ１３）。これにより、外部の空気が空気経路２１７を介して酸素マスク２０２内へ供給可能な状態となる。そして、吸気時間が開始してから有効吸気時間が経過した時に（Ｓ１４）、酸素制御弁３２が酸素供給路２３０を酸素貯留状態に切り換えることにより、高濃度酸素の供給を停止し、バッファタンク２２３へ高濃度酸素を貯留し始める（Ｓ１５）。また、これと同時に、制御弁２６０が酸素供給路２３０を空気接続状態に切り換えることにより、酸素供給路２３０と酸素マスク２とを接続しないようにする。これにより、酸素マスク２０２への高濃度酸素の供給が確実に停止される。その後、呼吸検知センサ２０３が呼気時間の開始を検知した後（Ｓ１６）、次の吸気時間の開始を検知すると（Ｓ１１）、再び、高濃度酸素の供給を開始するとともに、制御弁２６０が酸素供給路２３０及び空気経路２１７を第１酸素供給状態に切り換える（Ｓ１２）。
【００７１】
図７に示すように、吸気時間開始後の０．４秒〜０．７秒では、使用者の吸気量（５００ｍＬ／秒）に対して供給される高濃度酸素が足りなくなるため、使用者の自発呼吸により外部の空気が酸素マスク２０２内に供給されることから、気道内圧が低下する（図７（ａ）参照）。そして、０．７秒〜１．０秒では、高濃度酸素が酸素マスク２０２に供給されず、使用者の自発呼吸により外部の空気が供給されるだけとなるため、気道内圧が負圧になる。その後、呼気時間が開始すると、気道内圧は正圧となるが、吸気時間開始時に略０となる。
【００７２】
（本実施形態の高濃度酸素吸入システム２００の特徴）
本実施形態の高濃度酸素吸入システム２００では、第１実施形態の高濃度酸素吸入システム１００と同様に、使用者に供給された高濃度酸素が無駄になるのを防止することができるとともに、高濃度酸素吸入システム１００を大型化することなく高濃度酸素の供給量を増加させることができる。また、酸素供給手段２１０による高濃度酸素の供給量（単位時間当たりの供給量）が少ない場合でも、高濃度酸素吸入システム２００を大型化することなく高濃度酸素の供給量を増加させることができる。
【００７３】
また、酸素貯留状態において、酸素供給装置１０の外側に配置されたバッファタンク２２３に高濃度酸素を貯留することができるため、酸素供給装置内の酸素タンク２３への貯留量を少なくすることができる。これにより、酸素タンク２３内の圧力変化を小さくできるため、酸素供給装置の運転状況が変化しにくい。したがって、酸素供給装置を効率の良い条件で継続して運転することができるため、使用者に高濃度酸素を安定して供給しつつ、高濃度酸素吸入システムを円滑に運転することができる。
【００７４】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味および範囲内でのすべての変更が含まれる。
【００７５】
例えば、上述の第１実施形態及び第２実施形態では、有効吸気時間が経過した時（有効吸気時間の経過と同時）に酸素供給路３０（２３０）を酸素供給状態から酸素貯留状態に切り換えているが、有効吸気時間が経過する前に酸素供給路を酸素供給状態から酸素貯留状態に切り換えてもよい。「有効吸気時間が経過する前に酸素供給路を酸素供給状態から酸素貯留状態に切り換える」とは、吸気開始時又はその前から有効吸気時間が開始した後であって、使用者に必要な酸素量が供給されてから有効吸気時間が経過するまでの間に酸素供給路を酸素供給状態から酸素貯留状態に切り換えることである。これには、高濃度酸素吸入システム１００，２００の酸素制御弁３２が切り換わる時間を考慮してもよい。また、酸素供給手段１１０,２１０及び酸素供給装置１０から供給される高濃度酸素の量（供給速度等）や酸素濃度を考慮してもよい。さらに、使用者の肺に十分な量の高濃度酸素を供給してから酸素貯留状態に切り換えてもよい。例えば、吸気開始から有効吸気時間（０．７秒）が経過する前（例えば０．６秒経過後）に酸素貯留状態に切り換えてもよい。
【００７６】
また、上述の第１実施形態及び第２実施形態では、呼気と吸気との切り換わり時、つまり、吸気開始時（呼気終了時）に酸素供給路を酸素貯留状態から酸素供給状態に切り換えたが、吸気開始前（呼気終了前）に酸素供給路を酸素貯留状態から酸素供給状態に切り換えてもよい。「吸気開始前（呼気終了前）に酸素供給路を酸素貯留状態から酸素供給状態に切り換える」とは、吸気開始時（呼気終了時）に酸素マスク２,２０２内の気体の少なくとも一部が高濃度酸素となるように、吸気開始前（呼気終了前）に酸素供給路を酸素貯留状態から酸素供給状態に切り換えることである。これには、吸気開始時（呼気終了時）に酸素マスク２,２０２内が高濃度酸素だけで満たされるように吸気開始前（呼気終了前）に酸素供給路を酸素貯留状態から酸素供給状態に切り換える場合が含まれる。このタイミングには、高濃度酸素吸入システム１００，２００の酸素制御弁３２が切り換わる時間を考慮してもよい。
【００７７】
また、上述の実施形態では、呼吸検知センサ３,２０３の検知結果を基に酸素供給路を酸素貯留状態から酸素供給状態に切り換えたが、呼吸検知センサ３,２０３の検知結果を用いなくてもよい。
【００７８】
例えば、図８,９に示すように、１回目の呼吸では、呼吸検知センサ３の検知結果を基に吸気開始時に高濃度酸素の供給を開始し、２回目以降の呼吸では、吸気時間開始から所定時間経過後（次の吸気時間開始前）に（Ｓ１８）高濃度酸素の貯留をやめるとともに高濃度酸素の供給を開始してもよい（Ｓ２）。吸気開始前に高濃度酸素の供給を開始することで、酸素マスク内の空気を高濃度酸素により外部へ押し出し、吸気開始時に酸素マスク内を高濃度酸素で満たすことができる。これにより、吸気開始時から多量の高濃度酸素を肺に供給できる。酸素マスク内の空気を外部に押出す時間は、酸素マスクの容積や酸素供給路の容積等を考慮して決定することができる。例えば、吸気開始時より呼気時間の１／４以内前に高濃度酸素を供給するとよい。また、呼気から吸気への切り換えは呼気動作に含まれるため、呼気終了間際は酸素マスクに出入りする気体の合計流量がほぼ０となる。なお、図８において「所定時間」を１回の呼吸時間とした場合、「１回目の吸気時間開始から所定時間経過後（Ｓ１８）」とは、吸気時間開始時となる。
【００７９】
また、上述の第１実施形態及び第２実施形態では、有効吸気量と肺の容量とが一致する場合（有効吸気量＝肺の容量＝３５０ｍＬ）を示したが、有効吸気量と肺の容量とが異なってもよい。例えば、肺の容量が有効吸気量より多くてもよい。
【００８０】
さらに、上述の第１実施形態及び第２実施形態では、表１に示す条件としたが、表１に示す条件は一例であり各数値は変更可能である。また、有効吸気時間を０．７秒としたが、０．７秒を超えてもよく（例えば０．７５秒）、０．７秒未満でもよい。
【００８１】
加えて、上述の第１実施形態では、吸気時間開始から所定時間経過後、呼気時間が開始されるとしたが、呼吸検知センサ３により呼気時間の開始を検知してもよい。
【００８２】
また、上述の第１実施形態では、逆止弁４が、酸素マスク２の一部である酸素供給口５１に設けられているが、逆止弁４は、酸素供給口５１と酸素吐出口１１との間に設けられてもよい。
【００８３】
また、上述の第１実施形態では、吸気時間に酸素マスク２に供給される気体（使用者が吸い込む気体）の一例を０．１秒間毎に説明したが、このような場合に限られない。
【００８４】
例えば、他の例として、０秒〜０．１秒に酸素供給装置１０から酸素マスク２に供給される高濃度酸素５０ｍＬのうち、８ｍＬを酸素供給手段１１０が常時供給可能な高濃度酸素（８０ｍＬ／秒＝８ｍＬ／０．１秒）とし、４２ｍＬを酸素タンク２３に貯留された高濃度酸素の一部（１８４ｍＬのうちの４２ｍＬ）としてもよい。この場合、０．１秒における酸素タンク２３には、１８４ｍＬ−４２ｍＬ＝１４２ｍＬの高濃度酸素が貯留されている。
【００８５】
また、０.１秒〜０．２秒に酸素供給装置１０から酸素マスク２に供給される高濃度酸素５０ｍＬのうち、８ｍＬを酸素供給手段１１０が常時供給可能な高濃度酸素でとし、４２ｍＬを酸素タンク２３に貯留された高濃度酸素の一部（１４２ｍＬのうちの４２ｍＬ）としてもよい。この場合、０．２秒における酸素タンク２３には、１４２ｍＬ−４２ｍＬ＝１００ｍＬの高濃度酸素が貯留されている。
【００８６】
そして、０．２秒〜０．３秒に酸素供給装置１０から酸素マスク２に供給される高濃度酸素５０ｍＬのうち、８ｍＬを酸素供給手段１１０が常時供給可能な高濃度酸素とし、４２ｍＬを酸素タンク２３に貯留された高濃度酸素の一部（１００ｍＬのうちの４２ｍＬ）としてもよい。この場合、０．３秒における酸素タンク２３には、１００ｍＬ−４２ｍＬ＝５８ｍＬの高濃度酸素が貯留されている。
【００８７】
また、０．３秒〜０．４秒に酸素供給装置１０から酸素マスク２に供給される高濃度酸素５０ｍＬのうち、８ｍＬを酸素供給手段１１０が常時供給可能な高濃度酸素とし、４２ｍＬを酸素タンク２３に貯留された高濃度酸素の一部（５８ｍＬのうちの４２ｍＬ）としてもよい。この場合、０．４秒における酸素タンク２３には、５８ｍＬ−４２ｍＬ＝１６ｍＬの高濃度酸素が貯留されている。
【００８８】
そして、０．４秒〜０．５秒に酸素供給装置１０から酸素マスク２に供給される高濃度酸素を酸素供給手段１１０が常時供給可能な高濃度酸素８ｍＬ及び酸素タンク２３に貯留された高濃度酸素１６ｍＬとの合計２４ｍＬとし、酸素マスク２に空気供給路４０を介して空気２６ｍＬ（＝５０ｍＬ−２４ｍＬ）をさらに供給してもよい。
【００８９】
さらに、逆止弁４にクラッキング圧力（弁が開く圧力）が設定されていてもよい。クラッキング圧力を設定することにより、逆止弁４に所定の圧力が加わるまで、酸素制御弁３２から逆止弁４までの酸素接続経路１６内に、大気圧以上の高濃度酸素を蓄える事ができる。
【００９０】
加えて、高濃度酸素吸入システム１００，２００の設定において、吸気時間、呼気時間、有効吸気量、気道の容量及び高濃度酸素供給量等は表１に示す数値に限られず、変更可能である。
【００９１】
また、上述の第２実施形態では、酸素接続経路１６の切り換え及び空気経路２１７の切り換えに制御弁２６０を用いたが、酸素接続経路１６の切り換えと空気経路２１７の切り換えとを異なる弁を用いて行ってよい。また、弁は、制御弁に限られず、デマンドバルブ（酸素マスク内圧が負圧になったことを検知すると開くバルブ）を使用してもよい。デマンドバルブは、酸素マスク内の圧力と周囲圧力との圧力差を検知することにより、吸気時間の開始及び呼気時間の開始を検知し、これに応じて機械的に開閉する。したがって、デマンドバルブを用いる場合、呼吸検知センサを用いなくてもよい。
【００９２】
さらに、上述の第２実施形態において、制御弁２６０とともに逆止弁を用いてもよい。
【００９３】
加えて、上述の第２実施形態では、バッファタンク２２３の収縮にコンプレッサ２１の排気空気を用いたが、別のものを用いてもよい。
【００９４】
また、呼吸検知センサは、第１実施形態及び第２実施形態に示すものに限られない。例えば、第１実施形態の呼吸検知センサ３は、酸素マスク２内が負圧になったことを検知することにより吸気時間の開始を検知するが、酸素マスク２内の圧力が所定の圧力よりも低下した場合に吸気時間の開始を検知するものでもよい。
【００９５】
また、高濃度酸素吸入システム１００，２００は、加湿器、空気洗浄器やアロマ器などをさらに備えてもよい。例えば、第１実施形態において（図１）、上記機器を送風ファン１３の上部等に配置するとよい。
【００９６】
さらに、酸素供給装置１０は、大気中の空気の酸素を濃縮させる酸素濃縮器に限られず、薬品により酸素を発生させる装置や、別途生成された高濃度酸素を蓄える酸素タンクであっても良い。
【００９７】
加えて、上述の第２実施形態では、バッファタンク２２３の駆動源として、コンプレッサ２１の排気圧力を使用したが、吸着筒２２からの排気圧を利用しても良い。また、電動アクチュエータを用いた機構でも良い。このように、バッファタンク２２３は、酸素供給装置１０内で高濃度酸素を一時的に貯留した後にこれを外部に供給する装置であれば様々な構成のものを用いて良い。
【００９８】
また、上述の第２実施形態では、バッファタンク２２３が蛇腹構造のものであるが、酸素供給装置１０内で高濃度酸素を一時的に貯留した後にこれを外部に供給する装置であれば様々な構成のものを用いて良い。
【００９９】
さらに、上述の第２実施形態では、酸素供給装置１０が酸素タンク２３を含む構成であるが、酸素供給装置１０が酸素タンク２３を含まなくても良い。酸素供給装置１０が供給する高濃度酸素をバッファタンク２２３等で一時的に貯留することで、効率的に酸素マスクに濃縮酸素を供給できれば良い。
【産業上の利用可能性】
【０１００】
本発明を利用すれば、使用者に供給された高濃度酸素の一部が無駄になるのを防止するとともに、システムを大型化することなく高濃度酸素の供給量を増加させることができるため、高濃度酸素吸入システムとして有効である。
【符号の説明】
【０１０１】
１，２０１  高濃度酸素吸入装置
２，２０２  酸素マスク
３，２０３  呼吸検知センサ（呼吸検知手段）
１０  酸素供給装置
１３  送風ファン（送風手段）
２３  酸素タンク（タンク）
２２３      バッファタンク（タンク）
２４，２５，３２，２６０  制御弁
３０，２３０              酸素供給路
３２  酸素制御弁（制御弁）
４１  空気制御弁
１００,２００             高濃度酸素吸入システム
１１０,２１０             酸素供給手段
【図１】
2015080699.tif 000005
【図２】
2015080699.tif 000006
【図３】
2015080699.tif 000007
【図４】
2015080699.tif 000008
【図５】
2015080699.tif 000009
【図６】
2015080699.tif 000010
【図７】
2015080699.tif 000011
【図８】
2015080699.tif 000012
【図９】
2015080699.tif 000013